(57)【要約】【課題】コスト上の問題及びスペースの制約上の問題がより少なく、実質的に複数の撮像装置を備えたと同等の撮像装置とする。また、この撮像装置を組み込んだ携帯端末とする。【解決手段】基板ＰＣと、基板ＰＣに配設された複数の撮像素子２１，２２と、複数の撮像素子２１，２２に対応して設けられ、各撮像素子２１，２２に集光させるための複数の光学部材１１，１２と、複数の撮像素子２１，２２と複数の光学部材１１，１２とを覆う外枠部材４と、備える。【選択図】　　　　図２
2004048287.tif 000002
【特許請求の範囲】
【請求項１】
基板と、
前記基板に配設された複数の撮像素子と、
前記複数の撮像素子に対応して設けられ、各撮像素子に集光させるための複数の光学部材と、
前記複数の撮像素子と前記複数の光学部材とを覆う外枠部材と、
を備えることを特徴とする撮像装置。
【請求項２】
入射光を電気信号に変換する光電変換部を備えた撮像素子と、
前記光電変換部に被写体像を結像させる光学部材と、
前記撮像素子を保持し、かつ電気信号の外部接続用端子を有する基板と、
開口部を有し、遮光性部材からなる外枠部材と、が一体的に形成され、かつ前記光学部材の光軸方向の高さが１５ｍｍ以下である撮像装置であって、
前記基板上に複数の撮像素子を有するとともに、前記複数の撮像素子各々に対応する光学部材を有し、
前記外枠部材は、前記撮像素子と等しい数の開口部を有してなることを特徴とする撮像装置。
【請求項３】
請求項１又は２に記載の撮像装置において、
前記外枠部材内を前記光学部材ごとに仕切る間仕切壁を備えることを特徴とする撮像装置。
【請求項４】
請求項３に記載の撮像装置において、
前記間仕切壁の下端部は、前記基板上の電気配線より突出して設けられた電子部品の上面に当接していることを特徴とする撮像装置。
【請求項５】
請求項１〜４のいずれか一項に記載の撮像装置において、
複数の光学部材のうち少なくとも一つは、他の光学部材と異なる焦点距離を有することを特徴とする撮像装置。
【請求項６】
請求項１〜５のいずれか一項に記載の撮像装置において、
複数の撮像素子のうち少なくとも一つは、他の撮像素子と異なる解像度を有することを特徴とする撮像装置。
【請求項７】
請求項１〜６のいずれか一項に記載の撮像装置において、
複数の光学部材のうち少なくとも一つは、他の光学部材と異なる絞り値を有することを特徴とする撮像装置。
【請求項８】
請求項１〜７のいずれか一項に記載の撮像装置において、
複数の光学部材のうち少なくとも一つは、他の光学部材と異なる形状を有することを特徴とする撮像装置。
【請求項９】
請求項１〜８のいずれか一項に記載の撮像装置において、
複数の光学部材のうち少なくとも一つは、他の光学部材と異なる径を有することを特徴とする撮像装置。
【請求項１０】
請求項１〜９のいずれか一項に記載の撮像装置において、各光学部材を、その下端部に設けられた三つの突起部により支持することを特徴とする撮像装置。
【請求項１１】
請求項１０に記載の撮像装置において、
前記突起部を前記撮像素子に当接させた状態で、前記光学部材が設けられていることを特徴とする撮像装置。
【請求項１２】
請求項１〜１１のいずれか一項に記載の撮像装置において、
複数の光学部材のうち少なくとも二つを一体に形成したことを特徴とする撮像装置。
【請求項１３】
請求項１２に記載の撮像装置において、
各光学部材を連結する連結部の下面には、凹部が形成され、
この凹部に前記間仕切壁の上端部が挿入されることを特徴とする撮像装置。
【請求項１４】
請求項１〜１３のいずれか一項に記載の撮像装置において、
前記外枠部材の上面には開口部が形成され、
この開口部に嵌め込まれて前記外枠部材の上面を覆う遮光板を備え、
前記遮光板は、前記開口部に嵌め込む際の位置合わせに用いる位置合わせ部を備えることを特徴とする撮像装置。
【請求項１５】
請求項１〜１４のいずれか一項に記載の撮像装置において、
前記基板の所定の位置に、前記外枠部材を前記基板上に固着するに際し、前記基板の位置又は向きを示す第一の指標を設けたことを特徴とする撮像装置。
【請求項１６】
請求項１〜１５のいずれか一項に記載の撮像装置において、
前記外枠部材の所定の位置に、前記外枠部材を前記基板上に固着するに際し、前記外枠部材の位置又は向きを示す第二の指標を設けたことを特徴とする撮像装置。
【請求項１７】
請求項１６に記載の撮像装置において、
前記第一の指標と前記第二の指標とが所定の位置関係となる状態で、前記外枠部材が前記基板に固着されていることを特徴とする撮像装置。
【請求項１８】
請求項１〜１７のいずれか一項に記載の撮像装置において、
前記光学部材は、複数の光学素子を光軸方向に組み合わせたものであることを特徴とする撮像装置。
【請求項１９】
請求項１〜１８のいずれか一項に記載の撮像装置を、ケース内に備えたことを特徴とする携帯端末。
【発明の詳細な説明】
【０００１】
【発明の属する技術分野】
本発明は、撮像装置及び携帯端末に関する。
【０００２】
【従来の技術】
近年、携帯電話機やパーソナルコンピュータ等に搭載可能な、小型で高性能の撮像装置が開発されている。かかる撮像装置は、基板上に設けられた撮像素子と、この撮像素子に集光させるためのレンズ等を有する光学部材と、撮像素子及び光学部材を覆い隠す外枠部材と、を備えている。
そして、例えば、撮像装置が組み込まれた携帯電話機において、撮像装置の光学部材が携帯電話機の外表面に露出して設けられており、人物や風景等を撮像した画像が表示部の表示画面に写し出されるようになっている。
【０００３】
【発明が解決しようとする課題】
ところで、このような撮像装置の用途が広がると、撮像装置を複数備えて多機能化し、様々な場面に応じて使用したいというニーズがある。
しかしながら、撮像装置を複数備えることは、コスト上の問題、或いはスペースの制約上の問題があった。
【０００４】
そこで、本発明の課題は、コスト上の問題及びスペースの制約上の問題がより少なく、実質的に複数の撮像装置を備えたと同等の撮像装置を提供すること及びこの撮像装置を組み込んだ携帯端末を提供することである。
【０００５】
【課題を解決するための手段】
以上の課題を解決するため、請求項１に記載の発明は、基板と、前記基板に配設された複数の撮像素子と、前記複数の撮像素子に対応して設けられ、各撮像素子に集光させるための複数の光学部材と、前記複数の撮像素子と前記複数の光学部材とを覆う外枠部材と、を備えることを特徴とする。
【０００６】
請求項１に記載の発明によれば、複数の撮像素子と複数の光学部材とを覆う外枠部材を備えているので、各撮像素子又は各光学部材ごとに外枠部材を設ける場合に比べて外枠部材によって占有される基板上のデッドスペースを低減することができることとなって、コスト上の問題及びスペースの制約上の問題がより少なく、実質的に複数の撮像装置を備えたと同等の撮像装置とすることができる。
【０００７】
請求項２に記載の発明は、入射光を電気信号に変換する光電変換部を備えた撮像素子と、前記光電変換部に被写体像を結像させる光学部材と、前記撮像素子を保持し、かつ電気信号の外部接続用端子を有する基板と、開口部を有し、遮光性部材からなる外枠部材と、が一体的に形成され、かつ前記光学部材の光軸方向の高さが１５ｍｍ以下である撮像装置であって、前記基板上に複数の撮像素子を有するとともに、前記複数の撮像素子各々に対応する光学部材を有し、前記外枠部材は、前記撮像素子と等しい数の開口部を有してなることを特徴とする。
【０００８】
請求項２に記載の発明によれば、撮像素子と光学部材と基板と外枠部材とが一体的に形成され、光学部材の光軸方向の高さが１５ｍｍ以下の撮像装置は、基板上に複数の撮像素子を有するとともに、複数の撮像素子各々に対応する光学部材を有し、外枠部材は、撮像素子と等しい数の開口部を有しているので、複数の撮像機能を設けることが困難な小型の携帯端末においても用いることができる。
【０００９】
請求項３に記載の発明は、請求項１又は２に記載の撮像装置において、前記外枠部材内を前記光学部材ごとに仕切る間仕切壁を備えることを特徴とする。
【００１０】
請求項３に記載の発明によれば、外枠部材内を光学部材ごとに仕切る間仕切壁を備えるので、一の光学部材により屈折された光が他の光学部材に対応する撮像素子に向かって進むことがあっても、間仕切壁がその光を遮ることとなって、他の光学部材に対応する撮像素子に対して不要な入射光の侵入を防止することができる。
【００１１】
請求項４に記載の発明は、請求項３に記載の撮像装置において、前記間仕切壁の下端部は、前記基板上の電気配線より突出して設けられた電子部品の上面に当接していることを特徴とする。
【００１２】
請求項４に記載の発明によれば、間仕切壁の下端部は、基板上の電気配線より突出して設けられた電子部品の上面に当接しているので、間仕切壁の下端部が基板上の電気配線に接触することがなくなることとなって、間仕切壁を支持するスペーサ等を設けることなく間仕切壁を安定して支持することができる。
【００１３】
請求項５に記載の発明は、請求項１〜４のいずれか一項に記載の撮像装置において、複数の光学部材のうち少なくとも一つは、他の光学部材と異なる焦点距離を有することを特徴とする。
【００１４】
請求項５に記載の発明によれば、撮像条件、撮像環境によって光学部材から撮像対象までの距離が変化しても、その距離に対応できる光学部材を適宜選択して使い分けることにより、撮像距離の制約を緩和することができることとなって、より多目的な使用が可能となる。
【００１５】
請求項６に記載の発明は、請求項１〜５のいずれか一項に記載の撮像装置において、複数の撮像素子のうち少なくとも一つは、他の撮像素子と異なる解像度を有することを特徴とする。
【００１６】
請求項６に記載の発明によれば、撮像装置を備えた機器の使用目的によって要求される画像の解像度に対応できる撮像素子を適宜選択して使い分けることにより、状況に応じた画像を撮像することができることとなって、用途の範囲を拡大することができる。
【００１７】
請求項７に記載の発明は、請求項１〜６のいずれか一項に記載の撮像装置において、複数の光学部材のうち少なくとも一つは、他の光学部材と異なる絞り値を有することを特徴とする。
【００１８】
請求項７に記載の発明によれば、撮像する環境によって要求される絞り値に対応できる光学部材を適宜選択して使い分けることにより、撮像可能な環境条件を拡大することができることとなって、用途の範囲を拡大することができる。
【００１９】
請求項８に記載の発明は、請求項１〜７のいずれか一項に記載の撮像装置において、複数の光学部材のうち少なくとも一つは、他の光学部材と異なる形状を有することを特徴とする。
【００２０】
請求項８に記載の発明によれば、複数の光学部材のうち少なくとも一つは他の光学部材と異なる形状を有するので、光学部材を外枠部材内に設置する際に、設置場所に迷ったり、誤って別の場所に設置することがなくなることとなって、例えば、手作業で撮像装置を組み立てる場合においては、生産ラインにおける作業を円滑にすることができる。
【００２１】
請求項９に記載の発明は、請求項１〜８のいずれか一項に記載の撮像装置において、複数の光学部材のうち少なくとも一つは、他の光学部材と異なる径を有することを特徴とする。
【００２２】
請求項９に記載の発明によれば、複数の光学部材のうち少なくとも一つは他の光学部材と異なる径を有するので、請求項８と同様の作用効果を奏することができる。
【００２３】
請求項１０に記載の発明は、請求項１〜９のいずれか一項に記載の撮像装置において、各光学部材を、その下端部に設けられた三つの突起部により支持することを特徴とする。
【００２４】
請求項１０に記載の発明によれば、各光学部材を、三つの突起部により支持するので、基板上に安定した状態で設置することができる。また、突起部が三つであることから、光学部材が基板上でがたつくことがない。
【００２５】
請求項１１に記載の発明は、請求項１０に記載の撮像装置において、前記突起部を前記撮像素子に当接させた状態で、前記光学部材が設けられていることを特徴とする。
【００２６】
請求項１１に記載の発明によれば、突起部を撮像素子に当接させた状態で、光学部材が設けられているので、光学部材の焦点が撮像素子から外れることがなくなり、光学部材を通過した光を確実に撮像素子に当てることができる。
【００２７】
請求項１２に記載の発明は、請求項１〜１１のいずれか一項に記載の撮像装置において、複数の光学部材のうち少なくとも二つを一体に形成したことを特徴とする。
【００２８】
請求項１２に記載の発明によれば、複数の光学部材のうち少なくとも二つが一体に形成されていることにより、光学部材を一つごとに基板上に設置する場合に比べて設置スペースを小さくすることができる。これに伴い、外枠部材も小さくすることができるので、コスト上の問題及びスペースの制約上の問題をより少なくすることができる。
【００２９】
請求項１３に記載の発明は、請求項１２に記載の撮像装置において、各光学部材を連結する連結部の下面には、凹部が形成され、この凹部に前記間仕切壁の上端部が挿入されることを特徴とする。
【００３０】
請求項１３に記載の発明によれば、各光学部材を連結する連結部の下面に形成された凹部に間仕切壁の上端部が挿入されるので、連結部と間仕切壁の上端部との隙間から光が漏れるのを防止できることとなって、間仕切壁を挟んで隣接する光学部材に対応する撮像素子に対して不要な入射光の侵入を防止することができる。
【００３１】
請求項１４に記載の発明は、請求項１〜１３のいずれか一項に記載の撮像装置において、前記外枠部材の上面には開口部が形成され、この開口部に嵌め込まれて前記外枠部材の上面を覆う遮光板を備え、前記遮光板は、前記開口部に嵌め込む際の位置合わせに用いる位置合わせ部を備えることを特徴とする。
【００３２】
請求項１４に記載の発明によれば、外枠部材の上面には開口部が形成され、この開口部に嵌め込まれる遮光板を備え、この遮光板が開口部に嵌めこむ際の位置合わせに用いる位置合わせ部を備えるので、遮光板を開口部に嵌め込む際に、嵌め込む向きを誤ることがなくなって、例えば、手作業で撮像装置を組み立てる場合においては、生産ラインにおける作業を円滑にすることができる。
【００３３】
請求項１５に記載の発明は、請求項１〜１４のいずれか一項に記載の撮像装置において、前記基板の所定の位置に、前記外枠部材を前記基板上に固着するに際し、前記基板の位置又は向きを示す第一の指標を設けたことを特徴とする。
【００３４】
請求項１５に記載の発明によれば、基板の所定の位置には、外枠部材を基板上に固着するに際し、基板の位置又は向きを示す第一の指標が設けられているので、樹脂成形等により基板をランナーから切り離した後、単体で整列させておく際の認識用標識として使用できる。
【００３５】
請求項１６に記載の発明は、請求項１〜１５のいずれか一項に記載の撮像装置において、前記外枠部材の所定の位置に、前記外枠部材を前記基板上に固着するに際し、前記外枠部材の位置又は向きを示す第二の指標を設けたことを特徴とする。
【００３６】
請求項１６に記載の発明によれば、外枠部材の所定の位置には、外枠部材を基板上に固着するに際し、外枠部材の位置又は向きを示す第二の指標が設けられているので、樹脂成形等により外枠部材をランナーから切り離した後、単体で整列させておく際の認識用標識として使用できる。
【００３７】
請求項１７に記載の発明は、請求項１６に記載の撮像装置において、前記第一の指標と前記第二の指標とが所定の位置関係となる状態で、前記外枠部材が前記基板に固着されていることを特徴とする。
【００３８】
請求項１７に記載の発明によれば、第一の指標と第二の指標とに基づいて、外枠部材を基板に固着して撮像装置を形成するので、上下左右の方向を誤ることがなくなることとなって、例えば、手作業で撮像装置を組み立てる場合においては、生産ラインにおける作業を円滑にすることができる。
【００３９】
請求項１８に記載の発明は、請求項１〜１７のいずれか一項に記載の撮像装置において、前記光学部材は、複数の光学素子を光軸方向に組み合わせたものであることを特徴とする。
ここで、光学素子は光学部材の構成要素であり、例えば、レンズ部等である。
【００４０】
請求項１８に記載の発明によれば、光学部材は、複数の光学素子を光軸方向に組み合わせたものなので、光学部材の機能の幅を広げることができることとなって、より高性能な撮像装置を提供することができる。
【００４１】
請求項１９に記載の発明は、請求項１〜１８のいずれか一項に記載の撮像装置を、ケース内に備えたことを特徴とする。
【００４２】
請求項１９に記載の発明によれば、携帯端末のケース内に複数の撮像素子及び複数の光学部材を有する撮像装置を備えることで、コスト上及びスペースの制約上の問題がより少なく実質的に複数の撮像装置を備えることができることとなって、従来に比べて便利で付加価値の高い携帯端末を提供することができる。また、携帯端末における画像通信の利便性を高めることができる。
【００４３】
【発明の実施の形態】
以下、図面を参照して本発明の実施の形態における撮像装置及び携帯端末について詳細に説明する。
図１〜４に示すように、撮像装置１０は、一枚の基板ＰＣの一方の面上に設けられ、光を感じるセンサとなる第一撮像素子２１及び第二撮像素子２２、この第一撮像素子２１に集光させるための第一光学部材１１、第二撮像素子２２に集光させるための第二光学部材１２、第一光学部材１１に入射する光の量を調節する絞り板３１、第二光学部材１２に入射する光の量を調節する絞り板３２、第一撮像素子２１及び第二撮像素子２２を覆い隠す外枠部材としての鏡枠４、遮光性を有する遮光板５、遮光板５に支持されるフィルタ６１，６２、各光学部材１１，１２を押圧する押圧部材７１，７２、各光学部材１１，１２の位置決めを行うための位置決め電気部品８１，８２、及びその他基板ＰＣに配置された電気部品９等を備えている。
【００４４】
各光学部材１１，１２は、各撮像素子２１，２２の光電変換部２１ａ，２２ａ（後述する）に被写体像を結像させるものであり、透明なプラスチック材料を素材とし、図４に示すように、円弧状に湾曲された脚部１１ｃ，１２ｃと、この脚部１１ｃ，１２ｃに支持される凸レンズ形状のレンズ部１１ａ，１２ａとが一体的に形成されている。脚部１１ｃ，１２ｃは、上端周囲に形成された上脚部１１ｅ，１２ｅと、上端を塞ぐ板状の上面部１１ｄ，１２ｄと、上脚部１１ｅ，１２ｅの下方に形成された下脚部１１ｆ，１２ｆとを備え、上面部１１ｄ，１２ｄの中央にレンズ部１１ａ，１２ａが形成されている。このレンズ部１１ａ，１２ａは、互いに異なる径とされ、図１，２，４においては、レンズ部１１ａが大径、レンズ部１２ａが小径とされている。なお、レンズ部１１ａはレンズ部１２ａと異なる焦点距離又は異なる絞り値を有するようにしてもよい。また、これらの光学部材１１，１２を小型の携帯端末等に内蔵させるには、光軸方向の高さが１５ｍｍ以下であることが好ましい。
【００４５】
下脚部１１ｆ，１２ｆは、光軸に対して垂直な断面視において円弧状に形成されている。この下脚部１１ｆの下端部には、三つの突起部１１ｇが設けられ、下脚部１２ｆの下端部には、三つの突起部１２ｇが設けられている。なお、突起部１１ｇ，１２ｇは、三つ設けた場合が最もがたつきにくく各光学部材１１，１２を安定した状態で設置できる。また、下脚部１１ｆ，１２ｆは、それぞれ二つの脚から構成されているが、どちらの脚に突起部１１ｇ，１２ｇを二つ設けてもよい。
【００４６】
絞り板３１，３２は、図２に示すように、上面部１１ｄ，１２ｄの上面であって、レンズ部１１ａ，１２ａの周囲に接着剤Ｂにより固定されている。絞り板３１，３２はは、遮光性のある素材からなり、レンズ部１１ａ，１２ａの絞り値（Ｆ値）を規定する第一の絞りとしての開口３１ａ，３２ａを有する。
【００４７】
鏡枠４は、遮光性を有する素材からなり、各光学部材１１，１２の外側に配置されている。
鏡枠４は、図１，２，４に示すように、四角柱状に形成され、そのうち対向する二つの内側面には、水平方向に沿って各光学部材１１，１２を支持する支持部４１，４２が一体に形成され、長尺側の両端部が他の対向する二つの内側面に当接されている。さらに、他の対向する二つの内側面にわたって設けられ、鏡枠４内の空間を二分する間仕切壁４３が支持部４１，４２とほぼ平行に設けられ、長尺側の両端部が他の対向する二つの内側面に当接されている。
【００４８】
間仕切壁４３は、隣接する第一光学部材１１と第二光学部材１２との間（第一撮像素子２１と第二撮像素子２２との間）を仕切り、第一光学部材１１（第二光学部材１２）を通過した光が第二撮像素子２２（第一撮像素子２１）へ入射しないようにするものである。また、間仕切壁４３には、支持部４１，４２と同じ高さに各光学部材１１，１２の他端部を支持する支持部４４，４５が一体に形成されている。すなわち、支持部４１及び支持部４４で第一光学部材１１を支持し、支持部４２及び支持部４５で第二光学部材１２を支持している。
また、間仕切壁４３の下端部は、図２，３に示すように、基板ＰＣ上に電気配線Ｅよりも突出して配置された電子部品、例えば、コンデンサＣの上面に当接しており、電気配線Ｅに接触しないよう工夫が施されている。
【００４９】
また、鏡枠４の下端部は、基板ＰＣ上に鏡枠４が取り付けられる際の接着部位となる箇所であって、図２に示すように、鏡枠４の内側面と外側面とにおいて、側面から底面４ａに向かって所定の角度で切り欠かれ、傾斜面を有する切欠部４ｂ，４ｂが形成されている。鏡枠４の下部が基板ＰＣ上に当接され取り付けられる際には、切り欠かれて残った底面４ａ及び切欠部４ｂ，４ｂの傾斜面と、基板ＰＣとの間に接着剤Ｂが塗布され、固着される。
【００５０】
一方、鏡枠４の上端部には、図２に示すように、遮光板５が接着剤Ｂにより取り付けられている。鏡枠４の上端部は、例えば、図１に示すように、遮光板５の一部の側縁が外側へ位置合わせ部としての凸部５ａを有する側縁とされている。また、遮光板５は、各光学部材１１，１２に対応する位置に、第二の絞りとしての開口５１ａ，５２ａを有している。この開口５１ａ，５２ａの下方に、赤外線吸収特性を有する素材からなるフィルタ６１，６２が接着剤Ｂにより接合されている。これらのフィルタ６１，６２は、第一光学部材１１及び第二光学部材１２の径に対応して形成され、互いに異なる大きさとされている。
【００５１】
また、遮光板５は、図２，４に示すように、鏡枠４の上端の開口部４ｃより少し小さく形成され、この開口部４ｃを塞ぐようになっている。
そして、この遮光板５とフィルタ６１，６２とでカバー部材を構成する。このように、基板ＰＣと鏡枠４とカバー部材とが密着し接合しているので、撮像装置１０は、防塵、防湿の構造を有する。
なお、遮光板５の位置合わせ部は、凸部５ａに限らず、図５に示すように、遮光板５の一部の側縁が円弧状に形成された円弧部５ｂとしてもよい。また、図６に示すように、遮光板５の一部が切り欠かれた切欠部５ｃとしてもよい。
【００５２】
図２において、各光学部材１１，１２と、遮光板５との間には、例えば、コイルばねなどの弾性部材により構成された押圧部材７１，７２が配置されている。遮光板５が鏡枠４に取り付けられることで、遮光板５が押圧部材７１，７２を押圧して、押圧部材７１，７２が弾性変形する。この押圧部材７１，７２は、各光学部材１１，１２を図２中、下方に向かって所定の押圧力により押圧して、各光学部材１１，１２を各撮像素子２１，２２に付勢する。ここで、遮光板５から下方の各撮像素子２１，２２に向かう力が加わった際、押圧部材７１，７２が弾性変形することにより、その力を吸収する緩衝作用が働くので、その力は直接各撮像素子２１，２２には伝達されず、各撮像素子２１，２２が破損することを防ぐ効果がある。
【００５３】
各撮像素子２１，２２は、ＣＭＯＳ型イメージセンサからなる。矩形薄板状の各撮像素子２１，２２の下面は、基板ＰＣの上面に取り付けられている。各撮像素子２１，２２の上面中央には、画素が２次元的に配列された光電変換部２１ａ，２２ａが形成されている。その外側に処理部（図示しない）が形成されており、処理部の外縁近傍には、複数のパッド（図示しない）が配置されている。外部接続用端子であるパッドは、図２に示すように、ワイヤＷを介して基板ＰＣに接続されている。ワイヤＷは、基板ＰＣ上の所定の回路に接続されている。なお、第一撮像素子２１は、第二撮像素子２２と異なる解像度を有するものを用いてもよい。また、これらの撮像素子２１，２２としてＣＣＤを用いてもよい。
【００５４】
次に、撮像装置１０を組み立てる手順について説明する。
図４に示すように、まず、基板ＰＣ上に鏡枠４を固着する。この際、基板ＰＣ及び鏡枠４には、例えば、一致する角部に組立の指標となるマークＭ１及びＭ２（図４においては星型）を刻印、或いは印刷等しておく。
鏡枠４の設置後、鏡枠４の上端部の開口部４ｃから第一光学部材１１及び第二光学部材１２を鏡枠４の内部に挿入し、脚部１１ｃ，１２ｃに設けられた突起部１１ｇ，１２ｇを基板ＰＣ上に当接させて各光学部材１１，１２を設置する。この際、各光学部材１１，１２の大きさが異なるので、誤った場所への各光学部材１１，１２の設置を防止する。また、上脚部１１ｅ，１２ｅの形状を、より明確に異ならしめることもできる。
次いで、開口部４ｃに遮光板５を嵌め込む。この際、遮光板５は、凸部５ａを有するので、遮光板５を誤った向きに嵌め込むことがないようにされている。
【００５５】
次に、上記撮像装置１０の変形例の撮像装置２０，３０，４０について図７，１１，１２を参照して説明する。
なお、以下の説明において、上記撮像装置１０の各構成要素と同一の名称のものは、特に説明するものを除き、撮像装置１０のものと同様のものとする。
【００５６】
（変形例１）
図７に示すように、変形例１の撮像装置２０は、第三光学部材１３Ａと第四光学部材１３Ｂとが一体に形成された第一複合光学部材１３を備えている。第三光学部材１３Ａと第四光学部材１３Ｂとの間には、連結部１３ａが形成され、その連結部１３ａの下面には間仕切壁４３ａが挿入される凹部１３ｂが形成されている。
【００５７】
第三光学部材１３Ａは、第一光学部材１１の下脚部１１ｆの一部を切り欠いたものと同様の形状に形成されている。第三光学部材１３Ａは、下脚部１３ｅが外側に位置するように配置されている。なお、レンズ部１３ｃ等の他の構成要素については第一光学部材１１と同様であるため、説明を省略する。
第四光学部材１３Ｂは、第二光学部材１２の下脚部１２ｆの一部を切り欠いたものと同様の形状に形成されている。第四光学部材１３Ｂは、下脚部１３ｆが外側に位置するように配置されている。なお、レンズ部１３ｄ等の他の構成要素については第二光学部材１２と同様であるため、説明を省略する。
各下脚部１３ｅ，１３ｆの上端部には、連結部１３ａと一体に形成された上脚部１３ｊ，１３ｋが設けられている。
【００５８】
また、各下脚部１３ｅ，１３ｆには、突起部１３ｇ，１３ｈが合計三つ設けられており、第一複合部材１３を支持している。なお、突起部１３ｇ，１３ｈを設けるにあたり、突起部１３ｇと突起部１４ｈとの合計が三つであれば、どちらに二つ設けても構わない。ただし、突起部１３ｇ，１３ｈの数は三つに限られるものではなく、四つ以上設けることはもちろん可能である。
また、上脚部１３ｊ，１３ｋの形状は、図８に示すように、上脚部１３ｊ，１３ｋの一方の側縁が円弧状に形成されていてもよいし、図９に示すように、上脚部１３ｊ，１３ｋの一部が切り欠かれた形状としてもよい。これにより、第一複合光学部材１３を誤った向きに取り付けることを防止できる。
【００５９】
また、間仕切壁４３ａは、下端部が基板ＰＣ上に設けられたコンデンサＣの上面に当接しており、その上端部は、凹部１３ｂに嵌合されている。その他、基板ＰＣや鏡枠４等は上記実施の形態と同様である。
この変形例１によれば、第三光学部材１３Ａと第四光学部材１３Ｂとが一体に形成された第一複合光学部材１３を備えることにより、誤った組立が起こりにくくなるほか、撮像装置２０の部品点数を少なくすることができる。
【００６０】
次に、撮像装置２０を組み立てる手順について図１０を用いて説明する。
図１０に示すように、まず、基板ＰＣ上に鏡枠４を固着する。この際、基板ＰＣ及び鏡枠４には、例えば、一致する角部に組立の際の指標となるマークＭ１及びＭ２（図１０においては星形）を刻印、或いは印刷しておく。
鏡枠４の設置後、鏡枠４の上端の開口部４ｃから第一複合光学部材１３を鏡枠４の内部に挿入し、下脚部１３ｅ，１３ｆの突起部１３ｇ，１３ｈを基板ＰＣ上の各撮像素子２１，２２に当接させて第一複合光学部材１３を設置する。この際、間仕切壁４３ａの上端部を凹部１３ｂに挿入させる。この際、第一複合光学部材１３を構成する第三光学部材１３Ａと第四光学部材１３Ｂとの大きさが異なるので、誤った向きのまま第一複合光学部材１３が設置されるのを防止する。
次いで、開口部４ｃに遮光板５を嵌め込む。この際、遮光板５が凸部５ａを有するので、遮光板５を誤った向きに嵌め込むことがないようにされている。
【００６１】
（変形例２）
図１１に示すように、変形例２の撮像装置３０は、第五光学部材１４Ａと第六光学部材１４Ｂとが一体に形成された第二複合光学部材１４と、第二複合光学部材１４から独立し、第六光学部材１４Ｂの下面に当接するように配置された第七光学部材１５と、を備えている。第五光学部材１４Ａと第六光学部材１４Ｂとの間には、連結部１４ａが形成され、その連結部１４ａの下面には間仕切壁４３ａが挿入される凹部１４ｂが形成されている。
【００６２】
第五光学部材１４Ａは、第一光学部材１１の下脚部１１ｆの一部を切り欠いたものと同様の形状に形成されている。第五光学部材１４Ａは、下脚部１４ｅが外側に位置するように配置されている。なお、レンズ部１４ｃ等の他の構成要素については第一光学部材１１と同様であるため、説明を省略する。
第六光学部材１４Ｂは、第二光学部材１２の下脚部１２ｆを全域にわたって切り欠き、光学素子としてのレンズ部１２ａを凹型のレンズ部１４ｄにしたものと同様の形状に形成されている。
第七光学部材１５は、光学素子としての凹型のレンズ部１５ａの周囲に下脚部１５ｃを備えたものであり、下脚部１５ｃの下端部には突起部１５ｇが設けられている。また、第七光学部材１５の一部は、間仕切壁４３ａに当接されており、第七光学部材１５の位置決めを確実なものとしている。
【００６３】
各下脚部１４ｅ，１５ｃには、突起部１４ｇ，１５ｇが合計三つ設けられており、第二複合部材１４及び第七光学部材１５を支持している。なお、突起部１４ｇ，１５ｇを設けるにあたり、突起部１４ｇと突起部１５ｇとの合計が三つであれば、突起部１４ｇを二つとしてもよいし、突起部１５ｇを二つとしてもよい。また、間仕切壁４３ａは、下端部が基板ＰＣ上に設けられたコンデンサＣの上面に当接しており、その上端部は、凹部１４ｂに嵌合されている。また、第六光学部材１４Ｂと第七光学部材１５との間に絞り板３４が設けられている。
その他、基板ＰＣや鏡枠４等は上記実施の形態と同様である。
【００６４】
この変形例２によれば、第二複合光学部材１４に備えられた第六光学部材１４Ｂのレンズ部１４ｄと第七光学部材１５のレンズ部１５ａとを積み重ねて複層にすることにより、光学部材の機能の幅を広げることができることとなって、より高性能な撮像装置を提供することができる。
なお、撮像装置３０を組み立てる方法は、上記撮像装置２０とほぼ同様であるため、説明を省略する。
【００６５】
（変形例３）
図１２に示すように、変形例３の撮像装置４０は、第八光学部材１６Ａと第九光学部材１６Ｂとが一体に形成された第三複合光学部材１６と、第三複合光学部材１６から独立し、第九光学部材１６Ｂの上面に当接するように設けられた第十光学部材１７と、を備えている。第八光学部材１６Ａと第九光学部材１６Ｂとの間には、連結部１６ａが形成され、その連結部１６ａの下面には間仕切壁４３ａが挿入される凹部１６ｂが形成されている。
【００６６】
第八光学部材１６Ａは、第一光学部材１１の下脚部１１ｆの一部を切り欠いたものと同様の形状に形成されている。第八光学部材１６Ａは、下脚部１６ｅが外側に位置するように配置されている。
第九光学部材１６Ｂは、上記変形例２における下脚部１５ｃの一部が切り欠かれ、その切り欠かれた部分が連結部１６ａにつながったものと同様の形状に形成されている。また、下脚部１６ｆが外側に位置するように配置されている。
第十光学部材１７は、上記変形例２における第六光学部材１４Ｂを薄型化したものと同様の形状に形成されている。
なお、上記各光学部材１６Ａ，１６Ｂ，１７において、光学素子としてのレンズ部１６ｃ，１６ｄ，１７ａ等の他の構成要素については第一光学部材１１と同様であるため、説明を省略する。
【００６７】
各脚部１６ｅ，１６ｆには、突起部１６ｇ，１６ｈが合計三つ設けられており、第三複合部材１７を支持している。なお、突起部１６ｇ，１６ｈを設けるにあたり、突起部１６ｇと突起部１６ｈとの合計が三つであれば、突起部１６ｇを二つとしてもよいし、突起部１６ｈを二つとしてもよい。また、間仕切壁４３ａは、下端部が基板ＰＣ上に設けられたコンデンサＣの上面に当接しており、その上端部は、凹部１６ｂに嵌合されている。また、第九光学部材１６Ｂと第十光学部材１７との間に絞り板３５が設けられている。
その他、基板ＰＣや鏡枠４等は上記実施の形態と同様である。
【００６８】
この変形例３によれば、第三複合光学部材１６に備えられた第九光学部材１６Ｂのレンズ部１６ｄと第十光学部材１７のレンズ部１７ａとを積み重ねて複層にすることにより、光学部材の機能の幅を広げることができることとなって、より高性能な撮像装置を提供することができる。
なお、撮像装置３０を組み立てる方法は、上記撮像装置２０とほぼ同様であるため、説明を省略する。
【００６９】
次に、上記撮像装置１０を一例として、撮像装置１０を備えた携帯端末について説明する。
図１３に示すように、携帯端末は、例えば、折り畳み式携帯電話機Ｔ（以下、携帯電話機Ｔという）であり、表示画面Ｄを備えた上筐体７１と、操作ボタンＰを備えた下筐体７２とがヒンジ７３を介して連結されている。撮像装置１０は、上筐体７１の内表面側（表示画面を有する側）の表示画面Ｄの下方に内蔵されており、第一光学部材１１及び第二光学部材１２が上筐体７１の外表面から光を取り込めるものとされている。これによって、撮像対象との距離や、撮像環境に合わせて各光学部材１１，１２の機能を使い分けることにより、付加価値の高い携帯電話機Ｔとすることができる。なお、携帯電話機Ｔのその他の構成要素は、公知のものであるため、説明を省略する。
【００７０】
本実施の形態によれば、複数の撮像素子２１，２２と複数の光学部材１１，１２とを覆う鏡枠４を備えているので、撮像素子２１，２２又は光学部材１１，１２ごとに鏡枠４を設ける場合に比べて鏡枠４により占有される基板ＰＣ上のデッドスペースを低減することができることとなって、コスト上の問題及びスペースの制約上の問題がより少なく、実質的に複数の撮像装置を備えたと同等の撮像装置とすることができる。
【００７１】
また、鏡枠４内を光学部材１１，１２ごとに仕切る間仕切壁４３を備えるので、一の光学部材１１（１２）により屈折された光が他の光学部材１２（１１）に対応する撮像素子２２（２１）に向かって進むことがあっても、間仕切壁４３がその光を遮ることとなって、他の光学部材１２（１１）に対応する撮像素子２２（２１）に対して不要な入射光の侵入を防止することができる。
【００７２】
また、間仕切壁４３の下端部は、基板ＰＣ上に突出して設けられたコンデンサＣの上面に当接されるので、間仕切壁４３の下端部が基板ＰＣ上の電気配線Ｅに接触することがなくなることとなって、間仕切壁４３を支持するスペーサ等を設けることなく間仕切壁４３を安定して支持することができる。
【００７３】
また、撮像条件、撮像環境によって光学部材１１，１２から撮像対象までの距離が変化しても、その距離に対応できる光学部材１１，１２を適宜選択して使い分けることにより、撮像距離の制約を緩和することができることとなって、より多目的な使用が可能となる。また、撮像装置１０を備えた機器の使用目的によって要求される画像の解像度に対応できる撮像素子２１，２２を適宜選択して使い分けることにより、状況に応じた画像を撮像することができることとなって、用途の範囲を拡大することができる。さらに、撮像する環境によって要求される絞り値に対応できる光学部材１１，１２を適宜選択して使い分けることにより、撮像可能な環境条件を拡大することができることとなって、用途の範囲を拡大することができる。
【００７４】
また、複数の光学部材１１，１２のうち少なくとも一つは他の光学部材１１，１２と異なる径を有するので、光学部材１１，１２を鏡枠４内に設置する際に、設置場所に迷ったり、誤って別の場所に設置することがなくなることとなって、例えば、手作業で撮像装置１０を組み立てる場合においては、生産ラインにおける作業を円滑にすることができる。なお、複数の光学部材１１，１２のうち少なくとも一つを他の光学部材１１，１２と異なる形状としても、同様の効果を奏することができる。
また、各光学部材１１，１２は、三つの突起部１１ｇ，１２ｇにより支持されているので、基板ＰＣ上に安定した状態で設置することができる。また、突起部１１ｇ，１２ｇが三つであることから、光学部材１１，１２が基板ＰＣ上でがたつくことがない。
【００７５】
一方、複数の光学部材１１，１２のうち少なくとも二つが一体に形成されて、第一複合光学部材１３を構成することにより、光学部材１１，１２ごとに基板ＰＣ上に設置する場合に比べて設置スペースを小さくすることができる。これに伴い、鏡枠４も小さくすることができるので、コスト上の問題及びスペースの制約上の問題をより少なくすることができる。
【００７６】
また、第一複合光学部材１３の連結部１３ａの下面に形成された凹部１３ｂに間仕切壁４３の上端部が挿入されるので、連結部１３ａと間仕切壁４３の上端部との隙間から光が漏れるのを防止できることとなって、間仕切壁４３を挟んで隣接する光学部材１１，１２に対応する撮像素子２１，２２に対して不要な入射光の侵入を防止することができる。
【００７７】
また、鏡枠４の上面には開口部４ｃが形成され、この開口部４ｃに嵌め込まれる遮光板５を備え、この遮光板５が凸部５ａを備えるので、遮光板５を開口部４ｃに嵌め込む際に、嵌め込む向きを誤ることがなくなって、例えば、手作業で撮像装置１０を組み立てる場合においては、生産ラインにおける作業を円滑にすることができる。
【００７８】
また、鏡枠４を基板ＰＣ上に設置する際の基板ＰＣ及び鏡枠４の位置又は向きを示すマークＭ１，Ｍ２が印字されているので、鏡枠４を基板ＰＣ上に設置する際に、鏡枠４を設置する向きを誤ることがなくなって、例えば、手作業で撮像装置１０を組み立てる場合においては、生産ラインにおける作業を円滑にすることができる。
【００７９】
また、第六光学部材１４Ｂのレンズ部１４ｄと第七光学部材１５のレンズ部１５ａとが複層に積み重ねられて構成された第一複層光学部材１８、第九光学部材１６Ｂのレンズ部１６ｄと第十光学部材１７のレンズ部１７ａとが複層に積み重ねられて構成された第二複層光学部材１９が撮像素子２２に対して設けられているので、光学部材の機能の幅を広げることができることとなって、より高性能な撮像機器３０，４０を提供することができる。
【００８０】
さらに、携帯電話機Ｔのケース内に複数の撮像素子２１，２２及び複数の光学部材１１，１２を有する撮像装置１０を備えることで、従来に比べて便利で付加価値の高い携帯電話機Ｔを提供することができる。また、携帯電話機Ｔにおける画像通信の利便性を高めることができる。
【００８１】
なお、本発明は、上記実施の形態に限定されるものではない。
撮像素子２１，２２の数も二つに限らずそれ以上の数でもよい。その際、撮像素子２１，２２に対応して設けられる光学部材１１，１２のうち、少なくとも一つが異なる性能（焦点距離、絞り値）を有していればよい。また、撮像素子２１，２２も少なくとも一つが異なる性能（解像度）を有していればよい。もちろん、全ての光学部材１１，１２及び撮像素子２１，２２が互いに異なる性能を有していてもよい。
【００８２】
また、携帯電話機Ｔに備える撮像装置として、撮像装置１０を例に挙げて説明したが、上述した他の変形例の撮像装置２０，３０，４０についても同様に携帯電話機Ｔ内に内蔵することができ、同様の機能を発揮することができる。
また、撮像装置１０の設置場所は任意であり、携帯電話機Ｔのどこに設けてもよい。
【００８３】
また、各マークＭ１，Ｍ２の代わりに孔部を形成したり、センサ等で認識するものとしてもよく、作業者あるいは組立装置が鏡枠４の正しい向きを認識できる指標であれば構わない。また、基板ＰＣや鏡枠４を製造する際には、これらに孔部が形成されるような金型を用いてもよい。
また、撮像装置１０は携帯電話機Ｔに限らず、パソコンや携帯情報端末（ＰＤＡ）等の携帯可能な携帯端末に設けてもよい。
その他、本発明は、発明の要旨を逸脱しない範囲内で自由に変更、改良が可能である。
【００８４】
【発明の効果】
請求項１に記載の発明によれば、複数の撮像素子と複数の光学部材とを覆う外枠部材を備えているので、コスト上の問題及びスペースの制約上の問題がより少なく、実質的に複数の撮像装置を備えたと同等の撮像装置とすることができる。
【００８５】
請求項２に記載の発明によれば、撮像素子と光学部材と基板と外枠部材とが一体的に形成され、光学部材の光軸方向の高さが１５ｍｍ以下の撮像装置は、基板上に複数の撮像素子を有するとともに、複数の撮像素子各々に対応する光学部材を有し、外枠部材は、撮像素子と等しい数の開口部を有しているので、複数の撮像機能を設けることが困難な小型の携帯端末においても用いることができる。
【００８６】
請求項３に記載の発明によれば、外枠部材内を光学部材ごとに仕切る間仕切壁を備えるので、他の光学部材に対応する撮像素子に対して不要な入射光の侵入を防止することができる。
【００８７】
請求項４に記載の発明によれば、間仕切壁の下端部は、基板上の電気配線より突出して設けられた電子部品の上面に当接しているので、間仕切壁を支持するスペーサ等を設けることなく間仕切壁を安定して支持することができる。
【００８８】
請求項５に記載の発明によれば、撮像条件、撮像環境によって光学部材から撮像対象までの距離が変化しても、その距離に対応できる光学部材を適宜選択して使い分けることにより、撮像距離の制約を緩和することができることとなって、より多目的な使用が可能となる。
【００８９】
請求項６に記載の発明によれば、撮像装置を備えた機器の使用目的によって要求される画像の解像度に対応できる撮像素子を適宜選択して使い分けることにより、状況に応じた画像を撮像することができることとなって、用途の範囲を拡大することができる。
【００９０】
請求項７に記載の発明によれば、撮像する環境によって要求される絞り値に対応できる光学部材を適宜選択して使い分けることにより、撮像可能な環境条件を拡大することができることとなって、用途の範囲を拡大することができる。
【００９１】
請求項８に記載の発明によれば、複数の光学部材のうち少なくとも一つは他の光学部材と異なる形状を有するので、例えば、手作業で撮像装置を組み立てる場合においては、生産ラインにおける作業を円滑にすることができる。
【００９２】
請求項９に記載の発明によれば、複数の光学部材のうち少なくとも一つは他の光学部材と異なる径を有するので、請求項７と同様の作用効果を奏することができる。
【００９３】
請求項１０に記載の発明によれば、各光学部材を、三つの突起部により支持するので、基板上に安定した状態で設置することができる。また、突起部が三つであることから、光学部材が基板上でがたつくことがない。
【００９４】
請求項１１に記載の発明によれば、突起部を撮像素子に当接させた状態で、光学部材が設けられているので、光学部材の焦点が撮像素子から外れることがなくなり、光学部材を通過した光を確実に撮像素子に当てることができる。
【００９５】
請求項１２に記載の発明によれば、複数の光学部材のうち少なくとも二つが一体に形成されていることにより、光学部材を一つごとに基板上に設置する場合に比べて設置スペースを小さくすることができる。これに伴い、外枠部材も小さくすることができるので、コスト上の問題及びスペースの制約上の問題をより少なくすることができる。
【００９６】
請求項１３に記載の発明によれば、各光学部材を連結する連結部の下面に形成された凹部に間仕切壁の上端部が挿入されるので、間仕切壁を挟んで隣接する光学部材に対応する撮像素子に対して不要な入射光の侵入を防止することができる。
【００９７】
請求項１４に記載の発明によれば、外枠部材の上面には開口部が形成され、この開口部に嵌め込まれる遮光板を備え、この遮光板が開口部に嵌めこむ際の位置合わせに用いる位置合わせ部を備えるので、例えば、手作業で撮像装置を組み立てる場合においては、生産ラインにおける作業を円滑にすることができる。
【００９８】
請求項１５に記載の発明によれば、基板の所定の位置には、外枠部材を基板上に固着するに際し、基板の位置又は向きを示す第一の指標が設けられているので、樹脂成形等により基板をランナーから切り離した後、単体で整列させておく際の認識用標識として使用できる。
【００９９】
請求項１６に記載の発明によれば、外枠部材の所定の位置には、外枠部材を基板上に固着するに際し、外枠部材の位置又は向きを示す第二の指標が設けられているので、樹脂成形等により外枠部材をランナーから切り離した後、単体で整列させておく際の認識用標識として使用できる。
【０１００】
請求項１７に記載の発明によれば、第一の指標と第二の指標とに基づいて、外枠部材を基板に固着して撮像装置を形成するので、上下左右の方向を誤ることがなくなることとなって、例えば、手作業で撮像装置を組み立てる場合においては、生産ラインにおける作業を円滑にすることができる。
【０１０１】
請求項１８に記載の発明によれば、光学部材は、複数の光学素子を光軸方向に組み合わせたものなので、より高性能な撮像装置を提供することができる。
【０１０２】
請求項１９に記載の発明によれば、携帯端末のケース内に複数の撮像素子及び複数の光学部材を有する撮像装置を備えることで、従来に比べて便利で付加価値の高い携帯端末を提供することができる。また、携帯端末における画像通信の利便性を高めることができる。
【図面の簡単な説明】
【図１】本発明の実施の形態における撮像装置の一例を示す斜視図である。
【図２】上記実施の形態における撮像装置を示す図１のＡ−Ａ断面図である。
【図３】上記実施の形態における基板上の一部を示す斜視図である。
【図４】上記実施の形態における撮像装置の組立について説明する斜視図である。
【図５】上記実施の形態における他の例の遮光板を示す斜視図である。
【図６】上記実施の形態における他の例の遮光板を示す斜視図である。
【図７】上記実施の形態における他の例の撮像装置を示す断面図である。
【図８】上記実施の形態における他の例の光学部材を示す斜視図である。
【図９】上記実施の形態における他の例の光学部材を示す斜視図である。
【図１０】上記実施の形態における他の例の撮像装置の組立について説明する斜視図である。
【図１１】上記実施の形態における他の例の撮像装置を示す断面図である。
【図１２】上記実施の形態における他の例の撮像装置を示す断面図である。
【図１３】上記実施の形態における撮像装置を備えた折り畳み式携帯電話機を示す正面図及び背面図である。
【符号の説明】
１１　　　第一光学部材
１２　　　第二光学部材
１３　　　第一複合光学部材
１３Ａ　　第三光学部材
１３Ｂ　　第四光学部材
１４　　　第二複合光学部材
１４Ａ　　第五光学部材
１４Ｂ　　第六光学部材
１５　　　第七光学部材
１６　　　第三複合光学部材
１６Ａ　　第八光学部材
１６Ｂ　　第九光学部材
１７　　　第十光学部材
１８　　　第一複層光学部材
１９　　　第二複層光学部材
１１ｇ，１２ｇ，１３ｇ，１３ｈ，
１４ｇ，１５ｇ，１６ｇ，１６ｈ　　　突起部
２１　　　第一撮像素子
２２　　　第二撮像素子
４　　　　鏡枠（外枠部材）
４３，４３ａ　　　間仕切壁
４ｃ　　　開口部
５　　　　遮光板
Ｃ　　　　コンデンサ
Ｍ１，Ｍ２　　　　マーク（指標）
ＰＣ　　　基板
【図１】
2004048287.tif 000003
【図２】
2004048287.tif 000004
【図３】
2004048287.tif 000005
【図４】
2004048287.tif 000006
【図５】
2004048287.tif 000007
【図６】
2004048287.tif 000008
【図７】
2004048287.tif 000009
【図８】
2004048287.tif 000010
【図９】
2004048287.tif 000011
【図１０】
2004048287.tif 000012
【図１１】
2004048287.tif 000013
【図１２】
2004048287.tif 000014
【図１３】
2004048287.tif 000015